(57)【要約】      （修正有）【課題】ネットストーカーに気づかれることなく、インターネット上で自分の身を守ることができるホームページ運営システムを提供する。【解決手段】ホームページの仮のトップページとなるフロントホームページに閲覧者がアクセスした際に、閲覧者の識別事項の入力を要求し、ホームページの開設者が許可した識別事項の閲覧者が閲覧できる真のホームページに導く階層型ホームページとホームページの開設者が許可した識別事項以外の識別事項の閲覧者が閲覧できる偽のホームページとに、フロントホームページにアクセスしてきた閲覧者を振り分けている。【選択図】図１
2005242823.tif 000002
【特許請求の範囲】
【請求項１】
ホームページの仮のトップページとなるフロントホームページに閲覧者がアクセスした際に、前記閲覧者の識別事項の入力を要求し、前記ホームページの開設者が許可した識別事項の閲覧者が閲覧できる真のホームページに導く階層型ホームページと前記ホームページの開設者が許可した識別事項以外の識別事項の閲覧者が閲覧できる偽のホームページとに、前記フロントホームページにアクセスしてきた閲覧者を振り分けることを特徴とするホームページの運営方法。
【請求項２】
前記階層型ホームページは、奥の階層に行くに従ってコンテンツが徐々に増えるように、各階層毎で前記ホームページの開設者が設定した閲覧者選択事項を備えているとともに、最終階層を真のホームページとすることを特徴とする請求項１に記載のホームページの運営方法。
【請求項３】
前記偽のホームページは、前記ホームページの開設者が許可した識別事項以外の識別事項の閲覧者に対して真のホームページと勘違いさせる表示をすることを特徴とする請求項１に記載のホームページの運営方法。
【請求項４】
前記偽のホームページは、前記ホームページの開設者が許可した識別事項以外の識別事項の閲覧者同士に、設定された難問設定ページによりつぶし合いを行わせて消耗させ、二度と前記フロントホームページにアクセスさせないような気にさせる表示をすることを特徴とする請求項１に記載のホームページの運営方法。
【請求項５】
ホームページを表示させるホームページ表示手段を設け、前記ホームページのトップページに閲覧者がアクセスした際に前記閲覧者の識別事項の入力を要求する識別事項入力要求手段を設け、前記ホームページの開設者が許可した識別事項の閲覧者が閲覧できる真のホームページに導く階層型ホームページを作成する階層型ホームページ作成手段を設け、前記ホームページの開設者が許可した識別事項以外の識別事項の閲覧者が閲覧できる偽のホームページを作成する偽のホームページ作成手段を設け、前記トップページにアクセスして入力された前記閲覧者の識別事項によって前記階層型ホームページと前記偽のホームページとに、前記トップページにアクセスしてきた閲覧者を振り分ける閲覧者振分手段を設けたことを特徴とするホームページの運営システム。
【発明の詳細な説明】
【技術分野】
【０００１】
本発明は、ホームページの運営方法及びその運営システムに係り、特にホームページ開設者がネットストーカから気づかれることなく自分の身を守ることのできるホームページの運営方法及びその運営システムに関するものである。
【背景技術】
【０００２】
近年、インターネットの進展により、誰でも容易にホームページを持てるようになったが、ネットストーカと呼ばれる者達が現れ始めた。ストーカ規制法が成立された現在でもネットストーカに悩まされる者が多数存在している。
【０００３】
ネットストーカに狙われるとホームページを閉鎖せざるを得ない状況に追い込まれたり、精神的苦痛を受ける等の他、犯罪行為にも結びついている。以下総務省のホームページに記載されているネットストーカの事例である。
【０００４】
事例８：ネットストーカに注意
Ｎさんは、自分のホームページで自己紹介や自分の写真、日記などを公開していました。
Ｎさんは、ホームページを見た人たちから送られてくる電子メールを毎日楽しみにしていたのですが、ある日「僕とつきあってください」という電子メールが届けられました。最初は適当に返事をしていたのですが、あまりにもしつこく電子メールが送られてくるため、「迷惑ですので、もうメールしないでください」という返事をしたときから事態が急変しました。
次の日から「殺す」や「死ね」といった恐ろしい言葉が並べられた電子メールが次々と送られてくるようになったのです。さらにしばらくすると、「おまえの住んでいる場所はわかっているんだ」という電子メールも送られてきました。そこにかかれているのは確かにＮさんの住所でした。気味が悪くなったＮさんは、自分のホームページを閉鎖して、引越しを検討するしかありませんでした。
これはひとつの例ですが、実際にこのようなネットストーカの事件は数多く発生しています。ホームページの電子掲示板にいやがらせをされたり、大量の電子メールを送りつけてきたりといったことだけでなく、実際に自宅にまで押しかけてきたり、後をつけまわすなどのストーカ行為を働くなど、ネット上から実世界に移行する例も珍しくありません。
【非特許文献１】総務省ホームページ  ｈｔｔｐ：／／ｗｗｗ．ｓｏｕｍｕ．ｇｏ．ｊｐ／ｊｏｈｏ＿ｔｓｕｓｉｎ／ｓｅｃｕｒｉｔｙ／ｊｉｋｏ／ｊｉｋｏ＿０８．ｈｔｍ
【発明の開示】
【発明が解決しようとする課題】
【０００５】
ところが、従来、インターネットのホームページへのネットストーカからの嫌がらせ行為に対しては、遮断できるような技術はあったが、完全なものではなかった。
【０００６】
また、上述した非特許文献１のように、ネットストーカはしつこく悪質で厄介な存在であり、社会的問題にもなっている。現状のホームページシステムでは一時的に排除することは可能であるが、根本的な解決にはなっていない。
【課題を解決するための手段】
【０００７】
本発明は、ホームページの仮のトップページとなるフロントホームページに閲覧者がアクセスした際に、前記閲覧者の識別事項の入力を要求し、前記ホームページの開設者が許可した識別事項の閲覧者が閲覧できる真のホームページに導く階層型ホームページと前記ホームページの開設者が許可した識別事項以外の識別事項の閲覧者が閲覧できる偽のホームページとに、前記フロントホームページにアクセスしてきた閲覧者を振り分けることを特徴とする。
【発明の効果】
【０００８】
本発明のホームページの運営方法及びその運営システムは、自分の好きなホームページの閲覧者のみを真のホームページに来させ、それ以外のホームページの閲覧者としてのネットストーカに関しては偽のホームページ誘い込み、一時的なネットストーカの排除ではなく、ネットストーカに気づかれることなく且つ嫌みなく、ホームページから帰って頂くことができる。
【発明を実施するための最良の形態】
【０００９】
本発明は、ネットストーカに気づかれることなく且つ嫌みなく、ホームページから帰って頂く目的を、閲覧者の入力した識別事項によって閲覧者を真のホームページと偽のホームページとに振り分けて実現するものである。
以下、図面に基づいてこの発明の実施例を説明する。
【実施例１】
【００１０】
図１、図２は、この発明の第１実施例を示すものである。図１は、ホームページ運営システム（ネットストーカ撃退ホームページシステム）の形態を示す図であり、図２は、ホームページ運営システムの構成を示すブロック図である。
【００１１】
図２に示す如く、ホームページ運営システム２においては、電気通信回線（インターネット）４と、この電気通信回線４に接続された各閲覧者の端末機６と、電気通信回線４に接続されたホームページサーバー８とを備えている。端末機６には、入力部１０と表示部１２とが備えられている。
【００１２】
ホームページサーバー８には、システム全体をプログラムに沿って制御する制御手段１４と、電気通信回線４を介して情報（データ）を入出力する入出力手段１６と、端末機６の表示部１０にホームページを表示させるホームページ表示手段１８と、ホームページのトップページに閲覧者がアクセスした際に閲覧者の識別事項（ＩＤ、ＩＰアドレス等）の入力を要求する識別事項入力要求手段２０と、ホームページの開設者が許可した識別事項の閲覧者が閲覧できる真のホームページに導く階層型ホームページを作成する階層型ホームページ作成手段２２と、ホームページの開設者が許可した識別事項以外の識別事項の閲覧者が閲覧できる偽のホームページを作成する偽のホームページ作成手段２４と、ホームページのトップページにアクセスして入力された閲覧者の識別事項によって階層型ホームページと偽のホームページとに、トップページにアクセスしてきた閲覧者を振り分ける閲覧者振分手段２６とが設けられている。
【００１３】
ホームページ表示手段１８は、図１示す如く、ホームページの仮のトップページとなるフロントホームページ１０２と、階層型ホームページ作成手段２２で作成された階層型ホームページ１０４ａ〜１０４ｎと、偽のホームページ作成手段２４で作成された偽のホームページ（Ｚ箱）１０６とを、端末機６の表示部１２に表示させるものである。
【００１４】
フロントホームページ１０２は、ホームページの閲覧者１０８であれば誰でもアクセスが可能であり、ホームページの開設者１１０がホームページのトップページとして開設したページである。
【００１５】
階層型ホームページ１０４ａ〜１０４ｎは、奥の階層に行くに従ってコンテンツが徐々に増えるように、各階層毎でホームページの開設者１１０が設定した閲覧者選択事項（プロフィールページ、日記、電子掲示板、チャット等）を備えるとともに、最終階層（１０４ｎ）を真のホームページとし、ホームページの開設者１１０が自分の好きなホームページの閲覧者１０８のみを真のホームページに到達させ、それ以外のホームページの閲覧者１０８が真のホームページに到達させないようにするものである。この場合、閲覧者１０８を真のホームページに到達させるか否かは、各階層の閲覧者選択事項（プロフィールページ、日記、電子掲示板、チャット等）により、閲覧者振分手段２６が判断する。
【００１６】
偽のホームページ１０６は、ホームページの開設者１１０が許可した識別事項以外の識別事項の閲覧者に対して真のホームページと勘違いさせる表示をするものであり、ホームページ機能に付け加えて、ホームページの開設者１１０が許可した識別事項以外の識別事項の閲覧者としてのネットストーカを誘い込むように、アンケート機能やクイズ機能等を有し、前記階層型ホームページ１０４ａ〜１０４ｎの電子掲示板とは異なる電子掲示板１１２を備えている。
【００１７】
これにより、図１に示す如く、ホームページの仮のトップページとなるフロントホームページ１０２に閲覧者１０８がアクセスした際に、この閲覧者１０８の識別事項の入力を要求し、ホームページの開設者１１０が許可した識別事項の閲覧者が閲覧できる真のホームページに導く階層型ホームページ１０４とホームページの開設者１１０が許可した識別事項以外の識別事項の閲覧者１０８が閲覧できる偽のホームページ１０６とに、フロントホームページ１０２にアクセスしてきた閲覧者１０８を振り分けるものである。
【００１８】
次に、この第１実施例の作用を説明する。
【００１９】
先ず、ホームページの閲覧者１０８がフロントホームページ１０２にアクセスすると、この閲覧者１０８には、識別事項の入力が要求される。そして、この閲覧者１０８が自分の識別事項を入力すると、この入力された識別事項は、閲覧者振分手段２６で判断されて振り分けられる。
【００２０】
そして、ホームページの開設者１１０が許可した識別事項の閲覧者１１０である場合には、その選択された閲覧者１０８は、フロントホームページ１０２から階層型ホームページ１０４ａにリンクで誘導され、そして、この階層型ホームページ１０４ａから、階層型ホームページ１０４ｂ等へさらに奥の階層のホームページへ行くことができる。
【００２１】
そして、階層型ホームページ１０４ａ、１０４ｂ、１０４ｃ・・・と奥に行くに従い、ホームページのコンテンツが徐々に増えていく。例えば、階層型ホームページ１０４ａにはプロフィールのみ、階層型ホームページ１０４ｂにはプロフィールと日記のみ、階層型ホームページ１０４ｃにはプロフィールと日記と電子掲示板のみ存在し、最終的に、ホームページ１０４ｎがホームページ開設者１１０の真のホームページとなり、ここに、ホームページのすべてのコンテンツが存在している。
【００２２】
このとき、階層型ホームページ１０４ａ〜１０４ｎにおいては、各階層で設定された各閲覧者選択事項により、ホームページの開設者１１０が自分の好きな閲覧者１０８のみ真のホームページに来させ、それ以外の閲覧者１０８に対しては、途中の階層で止めさせ、それより奥の階層に行くのを防ぐことができる。
【００２３】
一方、ホームページの開設者１１０が許可した識別事項以外の識別事項であり、ホームページの閲覧者１０８がネットストーカであった場合には、フロントホームページ１０２から階層型ホームページ１０４ａではなく、閲覧者振分手段２６によって識別事項（ＩＤやＩＰアドレス等）を判別し、自動的に、偽のホームページ（Ｚ箱）１０６へと誘導される。
【００２４】
この偽のホームページ（Ｚ箱）１０６にたどり着いたネットストーカは、そこが真のホームページと思い込み勘違いを起こす。
【００２５】
この偽のホームページ（Ｚ箱）１０６には、階層型ホームページ１０４内に存在する電子掲示板とは別の電子掲示板１１２が存在し、ここに、誹謗中傷等好きなことを書かせることにより、ネットストーカに満足を与える。また、偽のホームページ（Ｚ箱）１０６が真のホームページだと思い込んでいるネットストーカは、自分の欲望を満たし満足して帰っていく。このとき、真のホームページである最終的な階層型ホームページ１０４ｎには、何の被害もなくホームページの開設者１１０も気づかないうちにネットストーカの気をそらし自らの身を守ることができ、安心してインターネット上でホームページを開設して楽しむことができる。
【００２６】
従って、ホームページの開設者１１０の自分の選んだホームページの閲覧者１０８だけを真のホームページにたどり着かせることができるとともに、ネットストーカを誘い込み帰って頂くことができる。
【００２７】
この結果、ホームページの仮のトップページとなるフロントホームページ１０２に閲覧者１０８がアクセスした際に、この閲覧者１０８の識別事項の入力を要求し、ホームページの開設者１１０が許可した識別事項の閲覧者が閲覧できる真のホームページに導く階層型ホームページ１０４とホームページの開設者１１０が許可した識別事項以外の識別事項の閲覧者が閲覧できる偽のホームページ１０６とに、フロントホームページ１０２にアクセスしてきた閲覧者を振り分けることから、自分の好きなホームページの閲覧者のみを真のホームページ（１０４ｎ）に来させ、それ以外のホームページの閲覧者としてのネットストーカに関しては偽のホームページ１０６に誘い込み、一時的なネットストーカの排除ではなく、ネットストーカに気づかれることなく且つ嫌みなく、ホームページから帰って頂くことができる。
【００２８】
また、階層型ホームページ１０４ａ〜１０４ｎにおいては、奥の階層に行くに従ってコンテンツが徐々に増えように、各階層毎で前記ホームページの開設者が設定した閲覧者選択事項を備えているとともに、最終階層を真のホームページとすることから、ホームページの開設者１１０が自分の好きな閲覧者１０８のみ真のホームページに来させ、それ以外の閲覧者１０８を、各階層で設定された各閲覧者選択事項により、途中の階層で止め、それより奥の階層に行くのを防ぐことができる。この場合、ホームページの開設者１１０が嫌がる閲覧者を、ネットストーカのように、偽のホームページ１０６に誘い込むことも可能である。
【実施例２】
【００２９】
図３は、この発明の第２実施例を示すものである。
【００３０】
上述したように、図１の偽のホームページ（Ｚ箱）１０６の電子掲示板１１２でネットストーカは満足してホームページ帰っていくが、図３では偽のホームページ（Ｚ箱）１０６の別の方策を考案した。
【００３１】
図３の偽のホームページ（Ｚ箱）１０６には、ホームページの開設者１１０が行った難問ページ１１４を設定する。これにより、ネットストーカ１１６ａ〜１１６ｎがその難問に挑み、その難問が解けなかった場合は、解けなかった事を励ますようなポップアップメッセージを表示させる。これにより、ネットストーカ１１６ａ〜１１６ｎは、懲りずに難問に再挑戦するか、あるいは、そのまま諦めてホームページから帰っていくことになる。この際、ホームページの開設者１１０や階層型ホームページ１０４には、全く影響がない。
【００３２】
一方、難問をネットストーカ１１６ａ〜１１６ｎが解いた場合は、解読を賞賛するポップアップメッセージを表示し、ネットストーカ１１６ａ〜１１６ｎの満足度をあげることができる。ネットストーカ１１６ａ〜１１６ｎは、満足してホームページから帰っていく。ネットストーカ１１６の満足度は、第１実施例の場合よりもさらにあがるため、気持ちよくホームページからお帰り頂くことができる。また、難問が解けなかった場合と同様に、階層型ホームページ１０４やホームページの開設者１１０には、何の影響もない。
【００３３】
偽のホームページ（Ｚ箱）１０６を真のホームページだと思い込んでいるネットストーカ１１６ａ〜１１６ｎ用に、難問ページ１１４は、定期的に、ホームページの開設者１１０によってその内容が変更される。
【００３４】
また、この第２実施例においては、以下のような構成にすることもできる。
【００３５】
偽のホームページ（Ｚ箱）１０６は、ホームページの開設者１１０が許可した識別事項以外の識別事項の閲覧者同士に、設定された難問設定ページ１１８によりつぶし合いを行わせて消耗させ、二度とフロントホームページ１０２にアクセスさせないような気にさせる表示をするものである。
【００３６】
上述においては、難問ページ１１４で難問を解読させることにより、ネットストーカ１１６ａ〜１１６ｎの気をホームページからそらしたが、偽のホームページ（Ｚ箱）１０６に難問設定ページ１１８を設置する。この難問設定ページ１１８は、ホームページの開設者１１０によって偽のホームページ（Ｚ箱）１０６内に組み込まれたプログラム機能である。
【００３７】
この難問設定ページ１１８においては、上述の難問ページ１１４とは違い、ホームページの開設者１１０ではなく、ネットストーカ１１６ａ〜１１６ｎが自由に難問を設定することが可能である。
【００３８】
これにより、ネットストーカ１１６ａ〜１１６ｎは、自ら難問を難問設定ページ１１８に設定し、お互いに解き合い、よって、お互いにインターネット上で、次々と難問を巡る戦いをすることになり、難問の難度が高ければ高い程、消耗戦になる。
【００３９】
上述の消耗戦によりネットストーカ１１６ａ〜１１６ｎは、ホームページの開設者１１０の知らないところでお互いをつぶし合い疲れることにより、二度とホームページを閲覧しに来なくなる。
【００４０】
この結果、ホームページの開設者１１０は、偽のホームページ（Ｚ箱）１０６内に難問設定ページ１１８を設置するだけで、何もすることなく、ネットストーカ１１６ａ〜１１６ｎにホームページから帰って頂くだけでなく、疲れさせて撃退することが可能となる。
【産業上の利用可能性】
【００４１】
この発明のホームページ運営システムは、ネットストーカに気づかれることなく、インターネット上で自分の身を守ることができるため、近年増加傾向にあるインターネット犯罪やストーカ犯罪を減少させることができ、他のインターネットシステムにも適用することができる。
【図面の簡単な説明】
【００４２】
【図１】第１実施例におけるホームページ運営システムの形態を示す図である。
【図２】第１実施例におけるホームページ運営システムの構成図である。
【図３】第２実施例における偽のホームページ（Ｚ箱）を示す図である。
【符号の説明】
【００４３】
２  ホームページ運営システム
４  電気通信回線
６  端末機
８  ホームページサーバー
１０  入力部
１２  表示部
１４  制御手段
１６  入出力手段
１８  ホームページ表示手段
２０  識別事項入力要求手段
２２  階層型ホームページ作成手段
２４  偽のホームページ作成手段
２６  閲覧者振分手段
１０２  フロントホームページ
１０４  階層型ホームページ
１０６  偽のホームページ（Ｚ箱）
１０８  ホームページの閲覧者
１１０  ホームページの開設者
１１２  電子掲示板
１１４  難問ページ
１１６  ネットストーカ
１１８  難問設定ページ
【図１】
2005242823.tif 000003
【図２】
2005242823.tif 000004
【図３】
2005242823.tif 000005